(57)【要約】  包装材は、１つまたは複数の層のプラスチックラミネート、第１の面、第２の面、及び、貫通領域（４０）を備える。脆弱線（３０）は、貫通領域（４０）から延在し、包装材に開口領域（１２）を形成する。包装材は、第１及び第２の面それぞれに取り付けられた第１及び第２の部分（４）と、貫通領域（４０）を貫通する材料ブリッジ（４５）と、を有するプラスチック開封装置（２）を備える。第２の部分は、少なくとも部分的に貫通領域を覆い、少なくとも１つの脆弱線に隣接する貫通領域から延在する案内部分（３５、３６）を備え、これにより、少なくとも１つの脆弱線（３０）に略沿って判断することを容易にする。
2018501165.tif 000002
【特許請求の範囲】
【請求項１】
プラスチックラミネートの１つまたは複数の層を有する多層材料構造体（１０）を含む包装材であって、
−  第１の面及び前記第１の面と対向する第２の面と、前記多層材料構造体内に画定された貫通領域（４０）；、
−  前記貫通領域（４０）から延在し、破断すると前記多層材料構造体（１０）に開口部（１２）を形成するように適合された、前記多層材料構造体内の少なくとも１つの脆弱線（３０）；
−  開封装置（２）であって、プラスチックの前記開封装置が、
前記第１の面に取り付けられた第１の部分（２０）と、
前記第２の面に取り付けられた第２の部分（４）と、
前記貫通領域（４０）を貫通して前記第１の部分を前記第２の部分（４）に接続する材料ブリッジ（４５）と、を備える開封装置；
を備え、
前記第２の部分（４）は、前記貫通領域（４０）を少なくとも部分的に覆い、かつ、前記少なくとも１つの脆弱線（３０）に隣接して前記貫通領域（４０）から延在する案内部分（３５、３６）をさらに備え、これにより、前記少なくとも１つの脆弱線に略沿って破断することを要因にすることを特徴とする包装材。
【請求項２】
前記案内部分は、縁部を有する少なくとも１つの脚部（３５、３６）を備え、前記縁部は、前記少なくとも１つの脆弱線（３０）と少なくとも部分的に略平行に配置されていることを特徴とする請求項１に記載の包装材。
【請求項３】
前記少なくとも１つの脆弱線（３０）は、第１及び第２の脆弱線を含み、前記第１及び第２の脆弱線ぞれぞれは、前記貫通領域から延在し、前記多層材料構造体上に領域（１２）を生成し、前記第１及び第２の脆弱線の間において前記領域（１２）が開口部を形成することを特徴とする請求項１または２に記載の包装材。
【請求項４】
前記第２の部分（４、４６）は、前記開口部を形成する前記領域（１２）の少なくとも部分的に覆うことを特徴とする請求項３に記載の包装材。
【請求項５】
前記第１及び第２の脆弱線は、Ｓ字状に湾曲しており、前記第１及び第２の脆弱線の間の距離は、第１の部分では増加し、第２の部分では減少しており、前記第２の部分（４、４６）は、少なくとも部分的に第１の部分のみを覆うことを特徴とする請求項３または４に記載の包装材。
【請求項６】
前記少なくとも１つの脚部（３５）は、破断の際に前記開口部を形成している、前記多層材料構造体上の前記脆弱線（３０）の側に配置されていることを特徴とする請求項２〜５のいずれか一項に記載の包装材。
【請求項７】
前記少なくとも１つの脚部（３５、３６）は、前記少なくとも１つの脆弱線（３０）まで５０μｍ〜１５００μｍ、好ましくは、５００μｍ〜１５００μｍの範囲の距離を備えることを特徴とする請求項２〜６のいずれか一項に記載の包装材。
【請求項８】
前記第２の部分（４、４６、４３）は、前記貫通領域（４０）と重なる領域に向かう前記少なくとも１つの脆弱線（３０）に隣接する前記第２の部分（４）の位置（４１Ａ、４１Ｂ）から延在する材料陥没線（４２、４２Ａ）を備えることを特徴とする請求項１〜７のいずれか一項に記載の包装材。
【請求項９】
前記材料陥没線（４２、４２Ａ）は、前記少なくとも１つの脆弱線（３０）に隣接する前記第２の部分の位置（４１Ａ、４１Ｂ）それぞれから連続して延在することを特徴とする請求項８に記載の包装材。
【請求項１０】
前記第２の部分（４）の前記材料陥没線（４２）は、前記第２の部分（４）によって覆われた前記脆弱線（３０）の部分の上に部分的に配置されることを特徴とする請求項８または９に記載の包装材。
【請求項１１】
前記少なくとも１つの脚部（３５、３６）の長さは、前記少なくとも１つの脆弱線（３０）の長さよりも小さい、または、前記少なくとも１つの脆弱線（３０）は、案内部分（３５、３６）を越えて延在していることを特徴とする請求項２〜１０のいずれか一項に記載の包装材。
【請求項１２】
前記脆弱線（３０）は、ミシン目部分と材料ブリッジ部分とを交互に有するミシン目を備え、かつ／または、前記第２の部分（４）は、前記ミシン目の材料ブリッジ部分上で終端することを特徴とする請求項１〜１１のいずれか一項に記載の包装材。
【請求項１３】
前記少なくとも１つの脆弱線（３０）によって形成される前記領域（１２）の前記多層材料構造体は、前記貫通領域（３０）に存在しないセルロース層を備えることを特徴とする請求項１〜１２のいずれか一項に記載の包装材。
【請求項１４】
前記貫通領域（３０）は、前記貫通領域（３０）を取り囲む前記多層材料構造体の領域よりも小さい垂直方向寸法を備えることを特徴とする請求項１〜１３のいずれか一項に記載の包装材。
【請求項１５】
前記貫通領域（４０）は：
−  前記材料ブリッジ（４５）によって覆われた領域より大きな領域；
−  略円形形状；
−  略長方形形状；
−  取り囲む領域の前記多層材料構造体より少ない少なくとも１つの層を有する前記貫通領域における前記多層材料構造体；
のうち少なくとも１つを備えることを特徴とする請求項１〜１４のいずれか一項に記載の包装材。
【請求項１６】
請求項１〜１５のいずれか一項に記載の包装材を備える包装容器であって、
−  前記包装材は、側縁部分を備え；
−  前記包装材は、前記包装容器を形成するように形状化され、かつ、前記側縁部分に沿ってシールされ；かつ
−  第１のシールは、前記開封装置に略対向して配置され、少なくとも第２のシールは、前記開封装置に対して略垂直に配置されることを特徴とする包装容器。
【発明の詳細な説明】
【技術分野】
【０００１】
本発明は、包装材及びこのような材を備える包装容器に関する。
【背景技術】
【０００２】
食品用の使い捨てタイプの包装容器は、包装材から製造されることが多い。このような包装材は、板紙またはカートンを含み得るが、異なるプラスチック層または金属化フィルム層のみをも含み得る。この結果、液体、半液体または固体食品のような異なる種類の食品をこのような容器に貯蔵することができる。
【０００３】
１つの例は、例えばポテトチップス、キャンディー又は他の固形食品を貯蔵するために一緒にシールされて袋状を形成するために複数のプラスチック層を含み得るシンプルなバッグに関する。いくつかの他の容器は、ミルク、フルーツジュースなどの液体食品の無菌包装に適しており、長期の自然保存用に販売されている。このような包装容器の包装材は、典型的には、紙または板紙のバルク層、熱可塑性樹脂の外側の液密層、ガスバリア層、最も一般的にはアルミニウム箔、及び、最後に、ヒートシール可能な接着性ポリマー及び／またはヒートシール可能なポリオレフィンを備える１つまたは複数の部分層から成る１つまたは複数の内側層を備えるラミネートである。包装容器は、通常、完全自動包装機で製造され、充填される。一例では、ウェブ供給包装材から連続チューブが形成される（材料はカートンベースの材料を含み得るが、純粋なプラスチックラミネートも適している）。包装材のウェブは包装機械で殺菌され、包装材の殺菌されたウェブは、次の工程で密閉された無菌環境に維持される。ウェブは、垂直チューブを形成するように縦方向に折り畳まれてシールされる。このチューブは、殺菌または殺菌処理された食品で満たされ、シールされ、その後等間隔の断面に沿って切断されてピローパックを形成し、次いで機械的に折り畳まれて、それぞれ完成した、例えば、略平行六面体の包装容器が形成される。
【０００４】
一般的に、包装容器は、消費者の開口を容易にするための開封装置、例えば、特許文献１及び特許文献２に記載されているようなプルタブまたは成形開封装置を含む多くの異なるタイプの開封装置を有する。
【０００５】
しかしながら、後者のタイプの包装は、（時間単位当たりの包装数の点で）大量であり（包装材の特性のために）低コストの包装であり、複雑な開口部は生産速度を妨げ、包装のコストに弊害をもたらす。一方、消費者は、注ぎ易く簡単で魅力的な開口部を要求する。
【先行技術文献】
【特許文献】
【０００６】
【特許文献１】国際公報第０３／０９５１９９２５号公報
【特許文献２】国際公報第２００９／０００９２７号公報
【特許文献３】欧州特許出願１３１９９８０８号
【特許文献４】欧州特許公開５９２９２０号
【発明の概要】
【発明が解決しようとする課題】
【０００７】
この理由のために、使用される材料の量の面において高効率で、かつ、消費者の要求に合致する開封装置の必要性が存在する。
【課題を解決するための手段】
【０００８】
本発明の課題のために、用語「包装材ブランク」または「ブランク」は、包装材ウェブ中の個々のシートまたはブランクを含むものとする。このような包装材ウェブは、連続ウェブにおいて互いの後に配置された１つまたは複数の「包装材ブランク」を備え得、これらのブランクのいくつかは異なる処理段階にある、すなわち、このようなウェブの１つのブランクは、開封装置を備え得る一方でウェブの他のブランクは未処理のままであり得る。
【０００９】
本発明の課題のために、用語「容器、包装」及び「包装」または「包装容器」は同じ構造を指す。さらに、材料、材料積層構造体または包装材という用語は、包装材ブランクを指す。「セルロース系材料」との用語は、紙、ボール紙、または他のセルロース繊維ベースの材料の１つまたは複数の層を備え得る。
【００１０】
一実施形態では、包装材は、１つまたは複数のプラスチックラミネートの層を有する多層材料構造を備える。多層材料は、専用の貫通領域を有する。前記領域において、プラスチック材料は多層構造体を貫通して多層構造体の表面の１つに取り付けられ、包装材上に開口部を形成する。また、包装は、例えば（これに限定されるものではないが、ミシン目または圧縮線等）の１つまたは複数の脆弱線を備える
【００１１】
一実施形態では、前記１つまたは複数の脆弱線は、貫通領域から延在して破断すると前記多層材料構造に開口部を形成する。別の実施形態では、脆弱線が貫通領域を取り囲んでいる。
【００１２】
本発明によれば、プラスチック構造の開封装置が多層構造体上に設けられており、開封装置は第１及び第２の部分を含み、少なくとも第２の部分が多層構造体に取り付けられている。材料ブリッジが構造体を貫通し、開封装置の第１の部分と第２の部分とを連結する。第２の部分は、少なくとも部分的に貫通領域を覆い、案内部分を備える。案内部分は、少なくとも１つの脆弱線に隣接する貫通領域から延在し、少なくとも１つの脆弱線に実質的に沿った破断を容易にする。
【００１３】
本発明によれば、多層構造体の破断を前記１つまたは複数の脆弱線に沿って案内することにより、より正確な開口が達成される。案内部分は、これらの線に沿った破断を支持する。出願人が発見したように、脆弱線だけでは、すべての状況下で脆弱線に沿った破断が保証されるわけではない。実際、材料構造は、しばしば異なって切り取られ、見た目の良さが低下するだけでなく、注ぎ込みの問題も生じる。案内部分は、破断プロセスを容易にし、材料から作製された包装を開くときに消費者が用いる異なる開口技術を補償することができる。
【００１４】
一実施形態では、案内部分は、１つまたは複数の脆弱線の曲線をたどる縁部を有する少なくとも１つの脚部を備える。脚部または案内部分の部分が、一般的に、開口空間を形成する多層構造体の領域上に配置される場合、有用であり得る。一実施形態では、案内部分は、脆弱線の両側に２つの脚部を含む。このような実施形態は、開口中の案内特性を改善する。脆弱線の両側の２つの脚は、それぞれの端部で閉じられ、脆弱線の端部を囲むことができる。そのような実施形態は、多層構造体の破断が脆弱線を越えて続くことが防止されるように、消費者による開封プロセスを支援することができる。
【００１５】
誘導及び容易な開口をさらに改善するために、第２の部分は、貫通領域に向かって１つまたは複数の脆弱線に隣接して延在する材料陥没線を備え得る。それは貫通領域を囲み得るが、実際に貫通領域と交差したり触れたりしない。第２の部分が脆弱線の部分を超えて延在する場合、材料陥没線が有利になる。このような実施形態では、材料陥没線は、その下にある脆弱線の曲線をたどり得る。特に、それは連続的であり、形状をたどり得る。ある領域では、材料陥没線は、貫通領域の周りを移動することによって、貫通領域を回避し得る。陥没した線はかなり深く、例えば第２の部分の厚さの３０％〜９０％、または厚さの５０％〜８０％の間であり得る。
【００１６】
開口中の破断線の跳ね返りを低減するために、案内部分と脆弱線との間の距離はかなり小さく、数百μｍ〜約１．５ｍｍの範囲である。
【００１７】
一実施形態では、第２の部分の材料は、多層構造体が脆弱化やミシン目化されていない箇所での脆弱線と特にミシン目と交差する。そうでない場合には、第２の部分のプラスチック材料が、開口部の成形中にその箇所でミシン目を破断させ得るため、ある程度の漏れの問題が生じ得る。
【００１８】
別の態様は、多層構造体に関する。一実施形態では、脆弱線によって提供される開口領域の多層構造体は、貫通領域には存在しないセルロース層を含む。従って、開封装置を形成する材料は、より容易に貫通領域を通って注入され、セルロース系材料をリッピングすることによって生じる欠陥の問題が防止される。あるいは、貫通領域は、周囲領域及び特に開口領域内の多層構造体と比較して減少した厚さを備え得る。
【００１９】
貫通領域は、異なる特性を備え得る。例えば、材料ブリッジによって覆われた領域よりも大きくすることができる。それは、材料ブリッジ及び貫通領域を貫通する目的に適合する、異なる形状、すなわち、円形、楕円形及び長方形または他の任意の形状を有し得る。
【００２０】
以下では、本発明をいくつかの実施形態及び添付の図面によってより詳細に説明する。  
【図面の簡単な説明】
【００２１】
【図１】本発明の第１の実施形態の斜視図である。
【図２】図１による第１の実施形態の側面図を示す図である。
【図３】図１による実施形態の底面図を示す図である。
【図４】本発明による第２の実施形態の斜視図である。
【図５】第２の実施形態の底面図を示す図である。
【図６Ａ】本発明による第３の実施形態の上面図を示す図である。
【図６Ｂ】図６Ａによる実施形態の底面図を示す図である。
【図７Ａ】第４の実施形態を示す図である。
【図７Ｂ】第４の実施形態の底面図を示す図である。
【図８】本発明の第２の実施形態に類似する、包装材のない第５の実施形態の斜視図を示す図である。
【図９】本発明による第６の実施形態の斜視図を示す図である。
【発明を実施するための形態】
【００２２】
図１は、本発明による包装材１の斜視図を示す。開封装置２は、後述するように、開口を容易にするために、多層構造体１０の所定領域に取り付けられている。
【００２３】
多層構造体１０は、プラスチック材料の１つまたは複数の層を含む。プラスチック材料層は、異なる材料であり得、特定の効果を達成するために、すなわち酸素バリア、光バリアなどとして作用するために、異なる厚さ、不透明または透明性を有し得る。この実施形態の多層構造体１０は、また、プラスチック材料層の間にカートン層を備える。このようなカートン層は、光バリアとして作用し、また、包装材及びそのような材料で作られた包装に対して一定の剛性をもたらす。このタイプの多層構造体は、例えば、特許文献３または特許文献４に見ることができ、包装材組成物に関連する内容は参照により本明細書に組み込まれる。
【００２４】
開封装置２は、多層構造体１０を破断させて開口を形成するための第１のまたは把持部分２０を含む。把持部分２０は、貫通領域４０において多層構造を貫通するブリッジ材料部分４５に連結される。貫通領域４０は、多層構造体１０の周囲領域とは異なる。例えば、貫通領域４０は、多層構造の１つまたは複数の層の欠如のために周囲領域より薄い厚さを備える。言い換えれば、貫通領域４０の厚さは、貫通領域内の多層構造の１つまたは複数の層を除去することによって低減される。あるいは、貫通領域４０の厚さは、圧縮または他の技術によって減少させることができる。貫通領域４０は矩形形状であり、ブリッジの断面より僅かに大きい。これは、開封装置２を形成する射出成形プロセスの間の小さな位置決め誤差を補償することを可能にする。
【００２５】
また、開封装置２は。図２及び３を参照して説明される多層構造体の下面に取り付けられた第２の部分を備える。開口の作成または形成を容易にするために、多層構造体は、脆弱線３０を備え、この実施形態ではミシン目として実施される。あるいは、脆弱線は、圧縮線として、または他の手段によって形成され得る。これは、把持部分２０が引っ張られて開口部を形成するときに、多層構造体の材料が破断されるように、側方に案内するように作用する。ミシン目３０は、２つのＳ字形状の態様で貫通領域４０から直接隣接して延在する。２つのＳ字状のミシン目３０の間の距離は、最初に領域Ｓで最大距離まで増加し、その後、それぞれの端部に向かってゆっくりと減少する。２つの脆弱線３０によって囲まれた、または部分的に囲まれた多層構造体の領域１２は、装置の開口部を形成する。言い換えれば、開封装置が引っ張られると、領域１２は、残りの多層構造体から離れて破断し、開口部を形成する。
【００２６】
図２及び図３は、開封装置２の断面図及び底面図ならびに多層材料構造体の表面へのその取り付けを示す。開封装置は、射出成形によって製造され、２つの金型半体が、貫通領域４０を囲むように互いに重ねられて配置される。図示する実施形態では、プラスチック材料が、貫通領域全体を貫通して注入され、断面図で分かるように完全に充填される。前記材料は、開封装置の第１のまたは把持部分２０を第２の部分４に接続するブリッジ４５を形成する。第２の部分４は、延長部４３及び開口支持部４６を含む。開口支持部４６は、材料ブリッジ部分４５から開口領域１２の一部である多層構造体を有する。これは、中央に配置された、尖った丸い端部分を含む。
【００２７】
延長部３４は、開口支持部４６に対向して配置され、多層構造体の領域１２の外側の部分を覆う。この点に関して、領域１２は、ミシン目と、とミシン目の両端部とを一緒に接続する仮想延長部と、によって画定される。延長部４３及び開口支持部４６は、材料陥没部４２によって分離されている。陥没部は、第２の部分の厚さの約７０％〜９０％の深さを有する。陥没部４２内の残りの材料の厚さは、数十μｍの範囲であり得る。陥没部４２は、第２の部分４の一方の縁部から第２の部分の他方の縁部まで円形に延在している。陥没部４２は、脆弱線３０の延長部であり、両方のミシン目を「連結する」と言うことができる。陥没線３０は、開封を容易にし、かつ、同時に、握り部分が引っ張られる際の初期破断点として機能し、開封させるのに必要な力を減少させる。開封手順の最初のステップで陥没線４２が破断される際、破断は最初に陥没部に沿って続き、次いでミシン目３０まで延在する。
【００２８】
図２からわかるように、ブリッジ部分４５、特に第１のまたは把持部分２０への連結は、領域１２に近い陥没部４２の隣に、かつ、開口支持部４６の上に配置されている。
【００２９】
また、第２の部分４はそれぞれ２つの脚部３６、３５を備える。脚部３６は、延長部４６から延在し、Ｓカーブ状のミシン目ラインが方向をこの形状に切り替える直前まで略平行に脆弱線３０をたどる。したがって、第２の脚部３５（より正確には脚部の第２の対）は、支持部４６から略同じ終点までミシン目３０と略平行に延在している。したがって、脚部３５は、領域１２上に配置される。ミシン目３０と脚部３５及び３６それぞれとの間の距離は数百μｍである。この例では、これはそれぞれの脚部の厚さ程度である。脚部の案内性を改善するために、脚部の厚さよりも小さいく、１００μｍから４００μｍの範囲であることが多い。
【００３０】
図４は、本発明の第２の実施形態を示す。この実施形態では、貫通領域４０がかなり小さく、貫通領域４０内の多層材料構造体を貫通する材料ブリッジ４５のサイズに略等しい。把持部分２０は、第１の実施形態と同じ形状を備える。図示されているように、脆弱線またはミシン目３０は、ブリッジ４５及び貫通領域４０の周りの多層構造体の一端から他端まで延在する。ミシン目３０は、貫通領域４０から距離Ｄだけ離間している。この結果、領域１２は、貫通領域４０を取り囲んでいる。これは、図１による第１の実施形態とは異なり、領域１２が、貫通領域４０の一部のみと当接し、距離Ｄは、ミシン目３０の形状のために、貫通領域４０の縁部で最小になる。
【００３１】
第２の実施形態の底面図が図５に示されている。第２の部分の開口部４６は、円形とその後取り付けられる直線形状とに分けられる湾曲形状を含む。中間の小さな陥没部は、支持部の材料消費を低減する。脚部３５は、第２の部分からミシン目３０に略平行にその端部３３までずっと延在し、ミシン目を取り囲んで外側脚部３６になる。言い換えると、脚部３５及び３６は、ミシン目３０を両側で完全に取り囲む。これらのミシン目３０までの距離は、第１の実施形態で説明したものと同様である。
【００３２】
図６Ａ及び６Ｂは、図１のものと同様の実施形態の上面図及び下面図を示す。把持部分２０は、その上端でブリッジ部分４５に変わり、ブリッジ部分４５は、補強バー４８を備える。ブリッジ部分４５は、図６Ｂに見られるように、第２の部分４の陥没線４２上に配置されているので、把持部分が引っ張られるときの安定性が向上する。図３Ｂに示す陥没線４２は、ミシン目３０に隣接しており、第２の部分４を横切って湾曲した形で延在し、これにより、この部分を区域４３と開口支持部４６とに分離する。延長部４３は、安定性をもたらす陥没線４２より小さな半径を有するように形状化され、陥没線４２上の破断の開始を容易にする。
【００３３】
図から解るように、ミシン目３０は、多層構造体のミシン目化された部分で、領域４１Ａにおいて第２の部分４の材料で覆われている。さらに、第２の部分４は、円形の貫通領域４０を越えてに延在している。その結果、陥没線４２を含む第２の部分４の一部は、図６Ａ及び図６Ｂの領域４１Ａにおいてミシン目３０越えて延在し、覆う。ミシン目自体は、第２の部分４のプラスチック材料の下で貫通領域まで、特に、貫通領域の中央、すなわち、貫通領域の直径が最も大きい箇所まで延在する。
【００３４】
図６Ａ及び図６Ｂに示すように、陥没線４２及びミシン目３０は部分的に重なり合うので、ミシン目は、陥没線４２の初期の破断後に容易に破断される。初期の破断に必要な力は、一般的に、破断を続けるのに必要な力よりも大きいが、初期の破断に必要な力はすでに陥没線により減少している。脚部３５、３６を横切る多層構造体を破断するのに必要な力は、ミシン目３０に沿いよりも大きいので、ミシン目の両側の脚部３５、３６は、ミシン目に沿った破断を確実にする。脚部３６は、両方のミシン目の方向が互いに向き合っている部分で終端する。
【００３５】
図６Ａ及び図４Ｂによる実施形態では、脚部を含む第２の部分４の外縁部は、縁部帯内の領域よりも厚い厚さを備える。これにより、材料をさらに強化して破断を誘導し、第２の部分２のプラスチック材料への外観が損なわれた破断線を減少させる。
【００３６】
図７Ａ及び図７Ｂは、本発明による多層構造体上に取り付けられた別の開封装置を示す。この実施形態では、貫通領域４０は、ミシン目３０の仮想延長線３０Ａに対して変位している。前の実施形態では、ミシン目は、貫通領域の水平仮想線の中心に近い貫通領域上の点から領域４０の中心を通って延在し、図７Ａ及び図７Ｂのミシン目３０は、水平仮想線の中心より下の点で貫通領域に「衝突」する。言い換えると、貫通領域に隣接するミシン目３０の２つの端点間の距離は、（略同じだった前の実施形態とは対照的に、）貫通領域の直径よりも小さい。
【００３７】
領域１２が、ミシン目３０と、ミシン目３０の端部を接続する任意の仮想延長線３０Ａと、によって画定されている場合、貫通領域４０を通る材料ブリッジ４５が移動され、領域１２の外側に配置される。第２の部分４の陥没部４２Ａは、好ましくは陥没部で簡単に開口するのを容易にするために、材料ブリッジをたどるように形成されている。陥没部４２Ａは、それらが上方に曲がる貫通領域４０と重なるまで、それぞれの縁領域４１Ｂから延在する２つの小部分を備える。陥没線４２Ａは、ブリッジ部分４５を取り囲んでいる。陥没線４２Ａの中間部分は、略真っ直ぐであり、材料ブリッジの幅に平行である。この実施形態による構造は、初期開封力を減少させ、その結果開封プロセス中により均一に分散された力で開封できる。
【００３８】
図８は、多層材料構造体なしで、斜視図で見た別の実施形態を示す。その結果、第１のまたは把持部分２０及び第２の部分４を見ることができる。把持部分２０は、グリップ力を強化するために、その上面に周期的なリップル構造を備える。それは、多層構造体を貫通するブリッジ材料部分４５の中で終わり、そのうちの貫通領域の小さな部分７０のみが図示されている。小さな部分は、射出成形プロセスの結果であり、材料が下側（多層構造体の下側）から注入される。注入された材料の圧力は、把持部分２０を形成する貫通領域内の減少した多層構造体を貫通し、多層構造体のある材料７０を上方に曲げるのに十分高い圧力である。材料は脚部３５及び３６にも流入する。
【００３９】
図９は、短縮された単一の脚部分を有する別の実施形態を示す。図９の点線は、（この実施形態では図示しない）多層材料構造体におけるミシン目または脆弱線３０を示す。脚部分３６Ｃは、開口支持体３６から丸い液滴状に延在する。開口支持体に取り付けられた端部は、最初に幅が減少し、ミシン目３０と略平行になる。次いで、それは、増えて、ミシン目３０に隣接する側の曲率が小さい非対称な液滴形状になる。これにより、開口部４６及び脚部４６Ｃは、キノコ状のミシン目をたどる。
【００４０】
本明細書で示す異なる実施形態の特徴は、包装の片側に取り付けられた脚部分の助けを借りて開封プロセス中に破断を誘導する原理から逸脱することなくあらゆる方法で組み合わせることができる。図示された実施形態では、脚部は、把持部分に対向する多層構造体の下側に取り付けられている。しかし、脚部は、開示された原理から逸脱することなく、請求項の主旨の範囲内で、把持部分と同じ側に実装されてもよい。言い換えると、第２の部分は、包装の「内側」に形成された第１の部分に材料ブリッジを介して接続されながら、把持部分及び脚部分を備え得る。
【符号の説明】
【００４１】
１  包装材
２  開封装置
４  第２の部分
１０  多層（材料）構造体
１２  開口領域、開口部
２０  把持部分
３０  脆弱線、ミシン目
３３  端部
３４  延長部
３５  脚部、案内部分
３６  脚部、案内部分
４０  貫通領域
４２  陥没線、陥没部
４３  延長部
４５  材料ブリッジ
４６  開口支持部
４８  補強バー
【図１】
2018501165.tif 000003
【図２】
2018501165.tif 000004
【図３】
2018501165.tif 000005
【図４】
2018501165.tif 000006
【図５】
2018501165.tif 000007
【図６Ａ】
2018501165.tif 000008
【図６Ｂ】
2018501165.tif 000009
【図７Ａ】
2018501165.tif 000010
【図７Ｂ】
2018501165.tif 000011
【図８】
2018501165.tif 000012
【図９】
2018501165.tif 000013
【国際調査報告】
2018501165.tif 000014
2018501165.tif 000015
2018501165.tif 000016